(57)【特許請求の範囲】
【請求項１】
外周面に環状のフランジ部が形成されたパイプが挿入される円形状の開口部が形成されたコネクタ本体と、
前記コネクタ本体に設けられ、前記パイプのフランジ部が前記開口部を通過可能な待機位置と、前記開口部の径方向へ移動し前記パイプが連結される連結位置と、前記連結位置から前記待機位置へ向かって移動し前記待機位置を通過したパイプ抜き出し位置と、へ移動可能なロック部材と、
前記ロック部材に設けられ、前記待機位置で前記ロック部材を前記コネクタ本体にロックするロック手段と、
前記ロック部材に設けられ、前記開口部内へ張出し、前記ロック部材が前記待機位置にある状態では、前記パイプの挿入時に前記フランジ部が当接すると外側へ押し広げられて前記ロック手段による前記ロック部材のロック状態を解除し、復元して前記フランジ部の外周面に沿って回り込み、前記ロック部材を前記連結位置へ移動させると共に、前記連結位置から前記待機位置を通過させ前記ロック部材が前記パイプ抜き出し位置にある状態では、前記フランジ部により外側へ押し広げられており、前記パイプを抜くと復元することで前記コネクタ本体と摺動し前記ロック部材を前記待機位置へ戻す付勢手段と、
前記ロック部材に設けられ、前記フランジ部の外周部に当接することで前記付勢手段による前記ロック部材の前記連結位置への移動を阻止すると共に、前記パイプがさらに挿入され、前記フランジ部との当接が解除されると前記ロック部材とともに前記連結位置へ移動し、前記フランジ部よりもパイプの挿入方向反対側に位置し、前記パイプの軸方向から見たとき前記フランジ部と重なる検知ストッパと、
前記ロック部材に設けられ、前記パイプ抜き出し位置で前記コネクタ本体の被係合部と係合し、前記ロック部材が前記コネクタ本体から外れないようにするための係合部と、
を有するコネクタ。
【請求項２】
前記係合部と前記被係合部とが面接触する請求項１に記載のコネクタ。
【請求項３】
前記付勢手段は前記ロック部材の基部の長手方向の両端から平行に垂下した一対の弾性片であって、前記一対の弾性片の互いに近接する内側方向へ屈曲した屈曲部が前記コネクタ本体と摺動し前記ロック部材を前記待機位置へ戻す請求項１または請求項２に記載のコネクタ。
【請求項４】
前記係合部は前記屈曲部の先端に形成された一対の壁部であり、前記被係合部は前記コネクタ本体における上壁部の外側端部に形成され、前記ロック部材の基部の長手方向に沿って伸びる当接部である請求項３に記載のコネクタ。
【発明の詳細な説明】
【技術分野】
【０００１】
本発明は、パイプを連結するコネクタに関するものである。
【背景技術】
【０００２】
パイプを連結するコネクタが知られている。例えば、特許文献１では、パイプをコネクタへ挿入するだけで、コネクタにパイプが連結されるようになっている。具体的には、コネクタ本体に装着されているロック部材が、コネクタ本体にパイプを挿入可能とする待機位置にロックされており、パイプの挿入によりコネクタ本体へのロックが解除され、連結位置へ移動し、パイプの抜けを防止するようになっている。
【先行技術文献】
【特許文献】
【０００３】
【特許文献１】特開２０１１−１７４５０８号
【発明の概要】
【発明が解決しようとする課題】
【０００４】
しかしながら、この特許文献１のようなコネクタでは、パイプの差し替えを考慮すると、連結位置にあるロック部材をドライバー等によって、強制的にパイプを抜くことができる位置へ移動し、パイプを抜いた場合に、ロック部材を待機位置に戻す必要がある。
【０００５】
本発明は上記事実を考慮し、連結位置にあるロック部材を移動してパイプを抜いた場合に、ロック部材が待機位置に戻るコネクタを提供することを課題とする。
【課題を解決するための手段】
【０００６】
請求項１に記載のコネクタは、外周面に環状のフランジ部が形成されたパイプが挿入される円形状の開口部が形成されたコネクタ本体と、前記コネクタ本体に設けられ、前記パイプのフランジ部が前記開口部を通過可能な待機位置と、前記開口部の径方向へ移動し前記パイプが連結される連結位置と、前記連結位置から前記待機位置へ向かって移動し前記待機位置を通過したパイプ抜き出し位置と、へ移動可能なロック部材と、前記ロック部材に設けられ、前記待機位置で前記ロック部材を前記コネクタ本体にロックするロック手段と、前記ロック部材に設けられ、前記開口部内へ張出し、前記ロック部材が前記待機位置にある状態では、前記パイプの挿入時に前記フランジ部が当接すると外側へ押し広げられて前記ロック手段による前記ロック部材のロック状態を解除し、復元して前記フランジ部の外周面に沿って回り込み、前記ロック部材を前記連結位置へ移動させると共に、前記連結位置から前記待機位置を通過させ前記ロック部材が前記パイプ抜き出し位置にある状態では、前記フランジ部により外側へ押し広げられており、前記パイプを抜くと復元することで前記コネクタ本体と摺動し前記ロック部材を前記待機位置へ戻す付勢手段と、前記ロック部材に設けられ、前記フランジ部の外周部に当接することで前記付勢手段による前記ロック部材の前記連結位置への移動を阻止すると共に、前記パイプがさらに挿入され、前記フランジ部との当接が解除されると前記ロック部材とともに前記連結位置へ移動し、前記フランジ部よりもパイプの挿入方向反対側に位置し、前記パイプの軸方向から見たとき前記フランジ部と重なる検知ストッパと、前記ロック部材に設けられ、前記パイプ抜き出し位置で前記コネクタ本体の被係合部と係合し、前記ロック部材が前記コネクタ本体から外れないようにするための係合部と、を有する。
【０００７】
請求項１に記載の発明では、コネクタが円形状の開口部が形成されたコネクタ本体を備えており、開口部内には外周面に環状のフランジ部が形成されたパイプが挿入される。また、コネクタ本体にはロック部材が設けられており、ロック部材は、パイプのフランジ部が開口部を通過可能な待機位置と、開口部の径方向へ移動しパイプが連結される連結位置と、連結位置から待機位置へ向かって移動し待機位置を通過したパイプ抜き出し位置とへ移動可能となっている。
【０００８】
ロック部材にはロック手段が設けられており、ロック手段は、待機位置でロック部材をコネクタ本体にロックする。また、ロック部材には付勢手段が設けられており、付勢手段は、コネクタ本体の開口部内へ張出しており、パイプの挿入時にフランジ部が当接すると外側へ押し広げられてロック手段によるロック部材のロック状態を解除する。これにより、付勢手段は復元してパイプのフランジ部の外周面に沿って回り込み、ロック部材を連結位置へ移動させる。なお、ここでの「復元」とは、付勢手段に付勢力が全て開放され付勢手段が自然状態となる場合以外に、付勢手段に該付勢力が僅かに残されている場合も含まれる。
【０００９】
一方、ロック部材には、検知ストッパが設けられており、検知ストッパは、ロック手段によるロック部材のロック状態が解除されると、パイプのフランジ部の外周部に当接して付勢手段によるロック部材の連結位置への移動を阻止する。
【００１０】
このため、パイプがさらに挿入され、検知ストッパとフランジ部との当接が解除されることで、検知ストッパはロック部材とともに連結位置へ移動可能となる。そして、ロック部材が連結位置へ移動すると、検知ストッパがフランジ部よりもパイプの挿入方向反対側に位置し、パイプの軸方向から見たときフランジ部と重なる。このため、コネクタにパイプが連結された状態で、パイプの挿入方向反対側へ向かう移動が阻止される。
【００１１】
つまり、パイプのフランジ部が検知ストッパの位置を通過した瞬間に、すでにロック状態が解除されているロック部材が自動的に待機位置から連結位置へ移動し、連結状態になる。
【００１２】
また、ロック部材には係合部が設けられており、係合部は連結位置にあるロック部材を、連結位置から待機位置を通過させパイプ抜き出し位置に移動した場合には、コネクタ本体の被係合部と係合する。このため、ロック部材はコネクタ本体から外れない。また、ロック部材がパイプ抜き出し位置にある状態では、付勢手段はパイプのフランジ部によって外側へ押し広げられており、パイプが抜かれると、付勢手段が復元することでコネクタ本体と摺動してロック部材を待機位置へ戻す。このため、連結位置にあるロック部材を移動してパイプを抜いた場合に、ロック部材が待機位置に戻る。
【００１３】
請求項２に記載の発明は、請求項１に記載のコネクタにおいて、前記係合部と前記被係合部とが面接触する。
【００１４】
請求項２に記載の発明では、ロック部材の係合部とコネクタ本体の被係合部とが係合した場合に、係合部と被係合部とが面接触する。このため、パイプ抜き出し位置におけるロック部材の姿勢が安定する。この結果、パイプが抜かれた際に、ロック部材を待機位置へ確実に戻すことができる。
【００１５】
請求項３に記載の発明は、請求項１または請求項２に記載のコネクタにおいて、前記付勢手段は前記ロック部材の基部の長手方向の両端から平行に垂下した一対の弾性片であって、前記一対の弾性片の互いに近接する内側方向へ屈曲した屈曲部が前記コネクタ本体と摺動し前記ロック部材を前記待機位置へ戻す。
【００１６】
請求項３に記載の発明では、付勢手段はロック部材の基部の長手方向の両端から平行に垂下した一対の弾性片となっている。また、一対の弾性片の互いに近接する内側方向へ屈曲した屈曲部がコネクタ本体と摺動しロック部材を待機位置へ戻す。このため、簡単な構成でロック部材を待機位置へ戻すことができる。
【００１７】
請求項４に記載の発明は、請求項３に記載のコネクタにおいて、前記係合部は前記屈曲部の先端に形成された一対の壁部であり、前記被係合部は前記コネクタ本体における上壁部の外側端部に形成され、前記ロック部材の基部の長手方向に沿って伸びる当接部である。
【００１８】
請求項４に記載の発明では、係合部が弾性片の互いに近接する内側方向へ屈曲した屈曲部の先端に形成された一対の壁部であり、被係合部がコネクタ本体における上壁部の外側端部に形成され、ロック部材の基部の長手方向に沿って伸びる当接部である。このため、ロックを解除した際に、一対の弾性片が互いに離間する方向へ変形した場合にも、一対の壁部が一対の当接部から外れることがない。この結果、パイプを抜く場合に、ロック部材がコネクタ本体から外れることがない。
【発明の効果】
【００１９】
請求項１に記載の本発明は、上記構成としたので、連結位置にあるロック部材を移動してパイプを抜いた場合に、ロック部材が待機位置に戻る。
【００２０】
請求項２に記載の本発明は、上記構成としたので、パイプが抜かれた際に、ロック部材を待機位置へ確実に戻すことができる。
【００２１】
請求項３に記載の本発明は、上記構成としたので、簡単な構成でロック部材を待機位置へ戻すことができる。
【００２２】
請求項４に記載の本発明は、上記構成としたので、パイプを抜く場合に、ロック部材がコネクタ本体から外れることがない。
【図面の簡単な説明】
【００２３】
【図１】本発明の一実施形態に係るコネクタを示す分解斜視図である。
【図２】本発明の一実施形態に係るコネクタにおけるロック部材の待機位置を示す斜視図である。
【図３】本発明の一実施形態に係るコネクタのロック部材を示す斜視図である。
【図４】本発明の一実施形態に係るコネクタのロック部材を示す図３と反対方向から見た斜視図である。
【図５】本発明の一実施形態に係るコネクタのロック部材の待機位置を示す図７に対応する断面図である。
【図６】本発明の一実施形態に係るコネクタのロック部材のロック解除状態を示す図７に対応する断面図である。
【図７】本発明の一実施形態に係るコネクタのロック部材の連結位置を示す図８の７−７断面線に沿った断面図である。
【図８】図７の８−８断面線に沿った断面図である。
【図９】本発明の一実施形態に係るコネクタにおけるロック部材のパイプ抜き出し位置を示す側面図である。
【図１０】図９の１０−１０断面線に沿った断面図である。
【発明を実施するための形態】
【００２４】
本発明の一実施形態に係るコネクタについて図１〜図１０に従って説明する。
図１に示す本実施形態のコネクタ１０は、例えば、車両のエンジンルーム内の冷却水配管締結用に用いられ、金属製のパイプ１２が連結されると共に樹脂製のチューブ１３が装着されるようになっている。なお、説明の便宜上、図１及び図２で示す矢印ＵＰをコネクタ１０の上方向として説明する。
【００２５】
（コネクタの構成）
図１に示すように、コネクタ１０は、略円筒状を成すコネクタ本体としてのハウジング１４と、ハウジング１４の外周に装着される略逆Ｕ字状のロック部材１６と、を備えている。ハウジング１４の一端側には、ロック部材１６が移動可能に装着されると共にパイプ１２が連結される連結部１８が設けられており、ハウジング１４の他端側には、チューブ１３が挿入される挿入部２０が設けられている。
【００２６】
図８に示すように、挿入部２０の先端部（ハウジング１４の他端部）２０Ａにはテーパ部が形成されており、テーパ部の先端はチューブ１３よりも小径とされ、チューブ１３が挿入しやすくなっている。
【００２７】
挿入部２０と連結部１８の間には、挿入部２０の外径寸法よりも大径の中径部２４が設けられており、チューブ１３の先端面が中径部２４の端面に当接することで、チューブ１３は移動が阻止されるようになっている。また、この状態で、図示はしないが専用クランプなどによってチューブ１３を挿入部２０に確実に固定できるようになっている。
【００２８】
図１に示すように、連結部１８は、一端側が略円筒状となっており、他端側は外形が略四角形状となっている。連結部１８の一端側には、挿入部２０に設けられた中径部２４よりも大径の大径部２６が設けられており、大径部２６の内周面には、環状凹部（図示省略）が凹設されている。この環状凹部にはＯリング３０、３２が嵌め込まれており、パイプ１２が連結部１８に連結されたとき、大径部２６の内周面とパイプ１２の外周面との間の隙間を埋めてシールするようになっている。
【００２９】
なお、図示はしないが、Ｏリング３０とＯリング３２の間に、断面が矩形状を成す環状のスペーサを配置して、Ｏリング３０及びＯリング３２を圧縮し、パイプ１２の外周面とのシーリング力を高めるようにしても良い。
【００３０】
図８に示すように、連結部１８の他端側には、ハウジング１４の軸線方向に沿って、ロック部３６と装着部３８とが設けられており、ロック部３６が大径部２６側に配置されている。
【００３１】
図１に示すように、装着部３８にはロック部材１６が装着可能とされ、ロック部３６では装着されたロック部材１６が所定の位置でロックされるようになっている。このため、ロック部３６の側壁３６Ａには、側壁３６Ａの上部及び下部に直方体状の突部４０、４２がそれぞれ突設されている。また、突部４０と突部４２の間には、隙間４４が設けられている。
【００３２】
ロック部３６の内周面には環状凹部（図示省略）が凹設されている。この環状凹部には環状のブッシュ４８がロック部３６の内周面から突出した状態で嵌め込み可能とされる。ブッシュ４８の内径寸法は、パイプ１２の外径寸法と略同一とされている。なお、ブッシュ４８は、例えば、ポリアセタール、ナイロンなどで作られる。
【００３３】
ハウジング１４の一端部である装着部３８には、円形状の開口部５０がハウジング１４の軸線方向に沿って形成されている。開口部５０はブッシュ４８の内径寸法よりも大径とされており、パイプ１２の外周面に形成された環状のフランジ部１２Ａが挿入可能な大きさとされている。
【００３４】
装着部３８には、下壁部５１と、上側両角部の架設部５２とを残して左右の貫通孔５４と上方の貫通孔５６とが形成されている。一方、ロック部材１６の中央に位置する基部１６Ａの内面からは、装着部３８に形成された貫通孔５６に対応して検知ストッパ６４が垂下しており、この検知ストッパ６４は装着部３８の上方から装着可能とされている。
【００３５】
ロック部材１６の基部１６Ａは、ハウジング１４のロック部３６の上壁３６Ｂに形成された円弧部７０と対向する略同一の曲率を有する円弧面７２とされている。また、ロック部材１６の連結位置では、ロック部材１６の基部１６Ａがロック部３６の上壁３６Ｂに面接触可能となっている。
【００３６】
図３に示すように、ロック部材１６の基部１６Ａにおける長手方向の中央部の両縁には、連結部１８におけるロック部３６の上壁３６Ｂと対面する位置に操作傾斜部７４が突出形成されている。この操作傾斜部７４には、ロック部材１６の連結位置で、連結部１８の上壁３６Ｂから露出しており、マイナスドライバーや専用治具が挿入可能となっている。
【００３７】
図５に示すように、検知ストッパ６４の先端部６４Ａは、パイプ１２の外径寸法と略同じ曲率半径を有する円弧とされており、パイプ１２の外周面に当接可能としている。また、図８に示すように、ロック部材１６の連結位置では、検知ストッパ６４とブッシュ４８の間に、ハウジング１４の軸線方向に隙間が形成されるようになっており、この隙間内にパイプ１２のフランジ部１２Ａが配置可能となっている。
【００３８】
ブッシュ４８の内径寸法及び検知ストッパ６４の先端部の曲率半径は、パイプ１２の外径寸法と略同一とされており、これらはパイプ１２のフランジ部１２Ａの外径寸法よりも小径とされている。このため、フランジ部１２Ａがこの隙間内に配置された状態で、パイプ１２の挿入方向（図８の矢印Ｂ方向）へ向かってパイプ１２を見たとき、フランジ部１２Ａが検知ストッパ６４で覆われた状態となる。即ち、検知ストッパ６４とフランジ部１２Ａとが重なる。つまり、ブッシュ４８及び検知ストッパ６４によって、パイプ１２は軸方向（図８の矢印Ａ方向及び矢印Ｂ方向）の移動が阻止されるようになっている。さらに、検知ストッパ６４は一対の先端部６４Ａが互いに連結された１枚板構造となっており、一対の先端部６４Ａの中央部にスリットを形成した２枚板構造に比べて剛性が高くなっている。このため、パイプ１２が抜き方向（図８の矢印Ａ方向）へ移動しようとした場合に、検知ストッパ６４が変形し難くなっており、パイプ１２の引き抜き方向への移動を確実に阻止できるようになっている。
【００３９】
図１に示すように、連結部１８におけるロック部３６及び装着部３８の各端面の角部は、ロック部３６の上壁３６Ｂ、下壁部５１及び架設部５２の表面から外側へ突出しており、各端面の角部はロック部材１６が装着部３８に装着された状態で、それぞれロック部材１６におけるハウジング１４の軸線方向に沿った端面に当接可能となっている。このため、ロック部材１６のハウジング１４の軸線方向に沿った移動が阻止され、ロック部材１６がガタ付かないようになっている。
【００４０】
ロック部材１６の基部１６Ａの長手方向の両端からは、それぞれ付勢手段としての弾性片８０が垂下している。また、ロック部材１６の基部１６Ａの長手方向の両端からは、それぞれ弾性片８０と平行にロック手段としての係止片７８が垂下している。係止片７８はロック部３６に対応して設けられており、弾性片８０は装着部３８に対応して設けられている。また、弾性片８０と係止片７８との間には、スリット８２が設けられており、係止片７８と弾性片８０はそれぞれ弾性変形可能となっている。
【００４１】
一対の弾性片８０の先端側はそれぞれ屈曲部８０Ａとなっており、各屈曲部８０Ａは互いに近接する内側方向へ向かって折れ曲がっていると共に、装着部３８の側壁に形成された貫通孔５４を貫通し、ブッシュ４８よりも内径側へ張出している。また、図４に示すように、係止片７８の長手方向中央部の内側には、突起部６１が設けられており、弾性片８０が貫通孔５４を貫通し、ロック部材１６が装着部３８に装着された状態で、図５に示すように、架設部５２に当接して、ロック部材１６の上方向への移動を阻止するようになっている。
【００４２】
図３に示すように、弾性片８０の先端部には、略水平方向に沿って互いに近接する方向へ屈曲する当接部８４が設けられている。これらの当接部８４から弾性片８０の延出方向中央部に架けて、開口部５０側の端面は、パイプ１２を連結部１８の奥方へ案内するテーパ８５となっている。また、屈曲部８０Ａの先端におけるテーパ８５と反対側の端部には、係合部としての壁部８７が形成されている。
【００４３】
図４に示すように、壁部８７は当接部８４の前記端部から上方に向かって突出しており、上面８７Ａは水平面となっている。
【００４４】
図１０に示すように、ハウジング１４におけるロック部３６の上壁３６Ｂの幅方向の外側端部は、被係合部としての一対の当接部８９となっている。これらの当接部８９はロック部材１６の移動方向（図１０の上下方向）と交差する基部１６Ａの長手方向に沿って伸びており、これらの当接部８９の下面８９Ａは水平面となっている。また、当接部８９の側面８９Ｂは垂直面となっており、下面８９Ａと側面８９Ｂとは傾斜面８９Ｃによって連結されている。また、当接部８９の下面８９Ａには、ロック部材１６の壁部８７の上面８７Ａが係合するようになっている。即ち、ハウジング１４に対して、ロック部材１６が上方へ移動し、図１０に示すパイプ抜き出し位置に移動すると、ハウジング１４の当接部８９にロック部材１６の壁部８７が係合し、ロック部材１６がパイプ抜き出し位置に停止するようになっている。
【００４５】
図５に示すように、ロック部材１６が待機位置にある状態で、パイプ１２がハウジング１４の開口部５０内へ挿入されると、パイプ１２の外周面１２Ｂが当接部８４に当接し、当接部８４を介して弾性片８０が外側（図５の矢印Ｃ方向）へ押し広げられる。ここで、当接部８４の位置は、挿入されたパイプ１２の軸線１２Ｃを越えた下方位置で接触するように設定されている。
【００４６】
図４に示すように、係止片７８の先端部には、内側方向に沿って延出した係止部８６が設けられている。この係止部８６はハウジング１４の連結部１８のロック部３６に設けられた突部４０と突部４２の間に設けられた隙間４４内へ挿入可能となっている。
【００４７】
図５に示すように、待機位置では、係止部８６が隙間４４内に配置され突部４２の上側面に当接した状態で、ロック部材１６は下方向の移動が阻止されようになっている。また、待機位置では、係止部８６と突部４０（図１参照）の下側面との間には隙間が設けられているが、前述したように、ロック部材１６が装着部３８に装着された状態で、係止片７８に設けられた突起部６１が架設部５２の下面に当接して、ロック部材１６の上方向への移動が阻止されるようになっている。
【００４８】
つまり、ロック部材１６の待機位置では、ロック部材１６は上下方向の移動が阻止されており、この待機位置では、パイプ１２が開口部５０内へ挿入可能となっている。
【００４９】
図４に示すように、係止片７８の先端部側には、弾性片８０側に延出する押圧片９０が設けられている。押圧片９０は弾性片８０との間に隙間を設けた状態で弾性片８０の外側に配置されており、弾性片８０が外側に押し広げられることで、押圧片９０に接触するようになっている。
【００５０】
図６に示すように、弾性片８０がさらに押し広げられると、押圧片９０を介して、係止片７８が外側へ押し広げられる。このとき、弾性片８０及び係止片７８には、付勢力が蓄積された状態となる。また、係止片７８が外側へ押し広げられると、係止片７８の係止部８６が突部４２に当接したロック部材１６の待機位置でのロック状態が解除されるようになっている。
【００５１】
ここで、前述したように、当接部８４の位置は、挿入されたパイプ１２の軸線１２Ｃを越えた位置で接触するように設定されている。このため、ロック部材１６の待機位置でのロック状態が解除されると、弾性片８０及び係止片７８は付勢力を開放しながら復元して、弾性片８０の当接部８４がパイプ１２のフランジ部１２Ａの外周面に沿って回り込み、ロック部材１６を連結位置方向（図６の矢印Ｄ方向）へ移動させようとする。
【００５２】
しかしながら、図６に示すように、検知ストッパ６４の先端部６４Ａがパイプ１２のフランジ部１２Ａの外周部に当接することで、ロック部材１６の連結位置への移動を阻止するようになっている。
【００５３】
次に、図８に示すように、パイプ１２がさらに挿入され、図８の矢印Ｂ方向へ移動して、フランジ部１２Ａが検知ストッパ６４の位置を通過すると、検知ストッパ６４の先端部６４Ａがフランジ部１２Ａから外れて、検知ストッパ６４がロック部材１６とともに連結位置へ移動するようになっている。
【００５４】
このとき、図７に示すように、係止部８６は突部４２の上面を乗り越え、突部４２の下側面に当たり、ロック部材１６の上方への移動が阻止される。また、この状態では弾性片８０及び係止片７８の付勢力は開放されている。そして、係止部８６が上方への移動を阻止されると略同時に、ロック部材１６の基部１６Ａがロック部３６の上壁３６Ｂに当接して、ロック部材１６の下方への移動が阻止される。つまり、この状態で、ロック部材１６は上下方向の移動が阻止される連結位置となる。
【００５５】
なお、本実施形態では、係止部８６が、ロック部材１６の待機位置では、突部４０の上側面に当接し、ロック部材１６の連結位置では、突部４２の下側面に当接するようにしたが、ロック部材１６の待機位置及び連結位置で、ロック部材１６の移動を阻止することができれば良いためこれに限るものではない。例えば、突部４０、４２に代えて、係止部８６が係合又は係止可能な凹部を凹設しても良い。
【００５６】
一方、コネクタ１０からパイプ１２を取り外す場合には、連結状態において、ロック部材１６の中央部に設けられた操作傾斜部７４内へマイナスドライバーや専用治具を挿入して、ロック部材１６を上方へ持ち上げる。これにより、当接部８４がパイプ１２のフランジ部１２Ａの外周面に沿って外側へ押し広げられ、当接部８４を介して弾性片８０が外側へ押し広げられる。そして、弾性片８０が押圧片９０に当接することで、押圧片９０を介して係止片７８を外側へ押し広げるようになっている。
【００５７】
そして、係止片７８の係止部８６が突部４２を乗り越え、係止部８６のロック状態が解除される。このため、ロック部材１６は、マイナスドライバーや専用治具によって、上方へ持ち上げられる。ロック部材１６が上方へ持ち上げられると、図１０に二点鎖線で示すように、当接部８４がパイプ１２の軸線１２Ｃより上方位置でパイプ１２のフランジ部１２Ａに当接するため、ロック部材１６には、弾性片８０の復元力によって、上方向（図１０の矢印Ｅ方向）の力が作用する。一方、ハウジング１４の当接部８９の下面８９Ａにロック部材１６の壁部８７の上面８７Ａが係合する。このため、ロック部材１６がパイプ抜き出し位置に保持されるようになっている。また、このロック部材１６がパイプ抜き出し位置となった状態では、検知ストッパ６４はパイプ１２のフランジ部１２Ａと干渉しない位置へ移動しているため、パイプ１２の取り外し方向（抜き方向）への移動が可能となる。
【００５８】
次に、コネクタ１０からパイプ１２を抜くと、弾性片８０は付勢力を開放しながら復元して、弾性片８０の屈曲部８０Ａがハウジング１４の当接部８９の傾斜面８９Ｃと摺動するようになっている。このため、ロック部材１６が連結位置方向（図１０の矢印Ｄ方向）へ移動して、図２に示す待機位置に戻るようになっている。同時に、ロック部材１６の係止片７８も復元して、ロック部材１６が待機位置に保持されるようになっている。
【００５９】
（コネクタの作用・効果）
次に、本実施形態に係るコネクタの作用・効果について説明する。
【００６０】
図２に示すように、コネクタ１０のハウジング１４の連結部１８にパイプ１２が挿入されていない待機位置では、ロック部材１６の基部１６Ａと図１に示す連結部１８の上壁３６Ｂとの間に隙間が設けられている。
【００６１】
また、待機位置では、ロック部材１６の係止片７８の先端部に設けられた係止部８６が、ロック部３６の突部４０と突部４２の間に設けられた隙間４４に配置され突部４２の上側面に当接してロック部材１６の下方向への移動が阻止される。また、弾性片８０に設けられた突起部６１が架設部５２に当接して、ロック部材１６の上方向への移動が阻止される。つまり、ロック部材１６の待機位置では、ロック部材１６は上下方向の移動が阻止されている。
【００６２】
この状態で、図５に示すように、連結部１８の開口部５０内へパイプ１２を挿入すると、パイプ１２の外周面１２Ｂが、弾性片８０の先端部に設けられた当接部８４に当接して、当接部８４を介して弾性片８０を外側へ押し広げる。
【００６３】
さらに、パイプ１２を連結部１８の奥方へ移動させると、図６に示すように、パイプ１２のフランジ部１２Ａが当接部８４に当接して、当接部８４をさらに外側へ押し広げる。これにより、弾性片８０がさらに外側へ押し広げられ、弾性片８０が押圧片９０に当接して、押圧片９０を介して係止片７８が外側へ押し広げられる。これにより、ロック部材１６の待機位置でのロック状態が解除され、ロック部材１６は連結部１８の下方向（図６の矢印Ｄ方向）に移動可能な状態となる。
【００６４】
一方、当接部８４は、挿入されたパイプ１２の軸線を越えた位置で接触するように設定されており、係止片７８及び弾性片８０には付勢力が蓄積されている。このため、ロック部材１６の待機位置でのロック状態が解除されると、弾性片８０及び係止片７８は付勢力を開放しながら復元する。
【００６５】
これにより、弾性片８０の当接部８４はパイプ１２のフランジ部１２Ａの外周面に沿って回り込み、ロック部材１６を下方（図６の矢印Ｄ方向）へ移動させようとする。
【００６６】
しかしながら、図６に示すように、検知ストッパ６４の先端部６４Ａがパイプ１２のフランジ部１２Ａの外周面に当接することで、ロック部材１６の連結位置方向（図６の矢印Ｄ方向）への移動が阻止される。
【００６７】
次に、図８に示すように、パイプ１２がさらに挿入され、フランジ部１２Ａが検知ストッパ６４の位置を通過すると、検知ストッパ６４の先端部６４Ａがパイプ１２のフランジ部１２Ａから外れる。検知ストッパ６４の先端部６４Ａがパイプ１２のフランジ部１２Ａから外れると、図７に示すように、検知ストッパ６４はロック部材１６とともに連結位置へ移動する。
【００６８】
これによりパイプ１２がコネクタ１０に連結されると共に、係止部８６が突部４２の上面を乗り越え、突部４２の下側面に当接するため、ロック部材１６の上方への移動が阻止される。また、係止部８６が上方への移動を阻止されると略同時に、ロック部材１６の基部１６Ａがロック部３６の上壁３６Ｂに当接して、ロック部材１６の下方への移動が阻止される。この結果、連結位置において、ロック部材１６は上下方向の移動が阻止される。なお、この連結位置においては、検知ストッパ６４によって、パイプ１２は引き抜き方向（図８の矢印Ａ方向）の移動が阻止される。さらに、検知ストッパ６４は一対の先端部６４Ａが互いに連結された１枚板構造となっており、一対の先端部６４Ａの中央部にスリットを形成した２枚板構造に比べて剛性が高くなっている。この結果、パイプ１２が引き抜き方向（図８の矢印Ａ方向）へ移動しようとした場合に、検知ストッパ６４が変形し難く、パイプ１２の移動を確実に阻止できる。
【００６９】
また、本実施形態のコネクタ１０では、パイプ１２を取り外す場合に、連結状態において、ロック部材１６の中央部に設けられた操作傾斜部７４内へマイナスドライバーや専用治具を挿入して、ロック部材１６を上方へ持ち上げる。これにより、当接部８４がパイプ１２のフランジ部１２Ａの外周面に沿って外側へ押し広げられ、当接部８４を介して弾性片８０が外側へ押し広げられる。このため、弾性片８０が押圧片９０に当接し、押圧片９０を介して係止片７８を外側へ押し広げる。
【００７０】
そして、係止片７８の係止部８６が突部４２を乗り越え、係止部８６のロック状態が解除される。このため、ロック部材１６は、マイナスドライバーや専用治具によって、上方へ持ち上げられる。ロック部材１６が上方へ持ち上げられると、図１０に二点鎖線で示すように、当接部８４がパイプ１２の軸線１２Ｃより上方位置でパイプ１２のフランジ部１２Ａに当接するため、ロック部材１６には、弾性片８０の復元力によって、上方向（図１０の矢印Ｅ方向）の力が作用する。一方、ハウジング１４の当接部８９の下面８９Ａにロック部材１６の壁部８７の上面８７Ａが係合する。このため、ロック部材１６がパイプ抜き出し位置に保持される。また、このロック部材１６がパイプ抜き出し位置となった状態では、検知ストッパ６４はパイプ１２のフランジ部１２Ａと干渉しない位置へ移動しているため、パイプ１２の取り外し方向（抜き方向）への移動が可能となる。
【００７１】
次に、コネクタ１０からパイプ１２を抜くと、弾性片８０は付勢力を開放しながら復元して、弾性片８０の屈曲部８０Ａがハウジング１４の当接部８９の傾斜面８９Ｃと摺動する。このため、ロック部材１６が連結位置方向（図１０の矢印Ｄ方向）へ移動して、図２に示す待機位置に戻る。同時に、ロック部材１６の係止片７８も復元して、ロック部材１６が待機位置に保持される。
【００７２】
従って、本実施形態のコネクタ１０では、連結位置にあるロック部材１６を移動してパイプ１２を抜いた場合に、ロック部材１６を待機位置に戻すことができる。このため、パイプ１２の差し替えが可能になる。
【００７３】
また、本実施形態では、ロック部材１６の壁部８７の上面８７Ａと、ハウジング１４の当接部８９の下面８９Ａとが係合した場合に、壁部８７の上面８７Ａと当接部８９の下面８９Ａとが面接触する。このため、パイプ抜き出し位置におけるロック部材１６の姿勢が安定する。この結果、パイプ１２が抜かれた際に、ロック部材１６を待機位置へ確実に戻すことができる。
【００７４】
また、本実施形態では、付勢手段がロック部材１６の基部１６Ａの長手方向の両端から平行に垂下した一対の弾性片８０となっており、一対の弾性片８０の互いに近接する内側方向へ屈曲した屈曲部８０Ａがハウジング１４の当接部８９と摺動してロック部材１６を待機位置へ戻す。このため、簡単な構成でロック部材１６を待機位置へ戻すことができる。
【００７５】
また、本実施形態では、ロック部材１６における一対の弾性片８０の互いに近接する内側方向へ屈曲した屈曲部８０Ａの先端に係合部としての壁部８７が形成されており、ハウジング１４におけるロック部材１６の基部１６Ａの長手方向に沿って伸びる一対の当接部８９が被係合部となっている。このため、ロックが解除された際に、一対の弾性片８０が互いに離間する方向へ変形した場合にも、一対の壁部８７が一対の当接部８９から外れることがない。この結果、コネクタ１０からパイプ１２を抜く場合に、ロック部材１６がハウジング１４から外れることがない。
【００７６】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、壁部８７の上面８７Ａと当接部８９の下面８９Ａとをそれぞれ水平面としたが、これに代えて、壁部８７の上面８７Ａと当接部８９の下面８９Ａとを係合が外れ難い方向に傾斜した傾斜面としてもよい。また、壁部８７と当接部８９とが面接触しない構成としてもよい。
【００７７】
また、上記実施形態では、一対の弾性片８０の互いに近接する内側方向へ屈曲した屈曲部８０Ａの先端に係合部としての壁部８７が形成されており、ロック部材１６の基部１６Ａの長手方向に沿って伸びる一対の当接部８９が被係合部となっている。これに代えて、ロック部材１６の係合部をロック部材１６の他の部位に形成し、ハウジング１４の被係合部をハウジング１４の他の部位に形成した構成としてもよい。
【００７８】
また、上記実施形態では、図１に示すように、ロック部材１６に設けられた係止片７８に、押圧片９０及び係止部８６を設けたが、これに代えて、弾性片８０によって外側へ押し広げられ、係止部８６の待機位置でのロック状態が解除される構成であれば他の構成でもよい。
【００７９】
このため、弾性片８０及び係止片７８は必ずしも２つ必要というものではなく、弾性片８０及び係止片７８が少なくとも１つあれば本発明による効果を得ることができる。また、係止片７８の形状も特に上記の形状に限定されるものではない。
【００８０】
また、上記実施形態では、図１に示すハウジング１４において、挿入部２０と連結部１８とが同軸上に設けられているが、ハウジング１４を介してパイプ１２及びチューブ１３を接続させることができれば良いため、これに限るものではない。
【００８１】
例えば、挿入部２０と連結部１８の間にエルボ部を接続し、エルボ部を介して挿入部２０と連結部１８とを直交させるようにしてもよい。このように、ハウジング１４の形状を多様化させることで、パイプ１２及びチューブ１３の位置関係を考慮して、コネクタ１０を使い分けることができる。
【符号の説明】
【００８２】
１０    コネクタ
１２    パイプ
１２Ａ    パイプのフランジ部
１２Ｂ    パイプの外周面
１２Ｃ  パイプの軸線
１４    ハウジング（コネクタ本体）
１６    ロック部材
４０    突部
４２    突部
５０    開口部
６４    検知ストッパ
７８    係止片（ロック手段）
８０    弾性片（付勢手段）
８０Ａ    弾性片の屈曲部
８６    係止部
９０    押圧片
８７    壁部（ロック部材の係合部）
８９    当接部（コネクタ本体の被係合部）
【図１】
0005868204.tif 000002
【図２】
0005868204.tif 000003
【図３】
0005868204.tif 000004
【図４】
0005868204.tif 000005
【図５】
0005868204.tif 000006
【図６】
0005868204.tif 000007
【図７】
0005868204.tif 000008
【図８】
0005868204.tif 000009
【図９】
0005868204.tif 000010
【図１０】
0005868204.tif 000011